(57)【要約】【課題】起床時に快適な室内温度を得ると同時にブザー音によりほぼ正確な起床時刻を知らせ、起床を促す。【解決手段】時間情報をのせてある標準電波１７を遠隔操作用リモートコントローラ２に内蔵した受信用アンテナ１３で受信し、遠隔操作用リモートコントローラ２に設定された現在時刻を定期的に修正し、常に標準時間に合わせる手段を具備し、遠隔操作用リモートコントローラ２からの光信号１１を室内機１が正常に受信したことを知らせるブザー音を発生するブザー１５を起床の為の目覚ましとして用いる。【選択図】図１
2008076007.tif 000002
【特許請求の範囲】
【請求項１】
現在時刻を入力し、前記時刻を設定することが可能な遠隔操作用リモートコントローラにおいて、前記遠隔操作用リモートコントローラの現在時刻を正確に合わせる為に、時間情報をのせてある標準電波を遠隔操作用リモートコントローラに内蔵されたアンテナで受信し、現在時刻を定期的に修正する手段を具備する空気調和機の遠隔操作用リモートコントローラ。
【請求項２】
ブザー音を発生するブザーを具備する空気調和機において、前記空気調和機のタイマー運転の選択又は、非選択を設定し、且つタイマー時刻を設定できるタイマー設定手段と、タイマー設定手段により設定された前記タイマー時刻に、前記ブザーからの目覚まし用ブザー音発生を選択又は非選択する目覚まし設定手段を具備する空気調和機の遠隔操作用リモートコントローラ。
【請求項３】
前記目覚まし設定手段により目覚まし用ブザー音発生が選択された場合、前記タイマー時刻に、前記ブザーから前記目覚まし用ブザー音を発生させるブザー音発生制御手段を含む目覚まし設定手段を具備する空気調和機及び遠隔操作用リモートコントローラ。
【請求項４】
該空気調和機は信号を受信する受信部を具備する室内機と、該室内機とは、別体であり該室内機の受信部へ所定の信号を送信する発信部を具備する遠隔操作用リモートコントローラにおいて、前記目覚まし手段は前記遠隔操作用リモートコントローラに配設されており、目覚まし手段のブザー音発生制御手段は前記室内機に具備する空気調和機及び遠隔操作用リモートコントローラ。
【請求項５】
前記タイマー時刻に前記室内を適温近くになるように、前記タイマー時刻より早く該空気調和機の運転を開始する制御手段が設けられている請求項１乃至４のうちのいずれか１項に記載の空気調和機及び、遠隔操作用リモートコントローラ。
【発明の詳細な説明】
【技術分野】
【０００１】
本発明は、現在時刻をより正確に設定可能な遠隔操作用リモートコントローラを用いた目覚まし手段を具備する空気調和機に関する。
【背景技術】
【０００２】
図２は、従来の空気調和機の室内機１と遠隔操作用リモートコントローラ２との使用状態を示す概略図であり、図３は、室内機１と、遠隔操作用リモートコントローラ２との信号交信関係を示す概略図である。なお、空気調和機は、主に室内機１と、室外機３よりなる。
【０００３】
図２及び図３において、１は室内に調和された空気を送風する空気調和機の室内機で、２は空気調和機の運転を制御する為の光信号１１を送信する遠隔操作用リモートコントローラである。遠隔操作用リモートコントローラ２の表面には、少なくとも、空気調和機にタイマー運転の選択・非選択を設定し且つタイマー時刻を設定するタイマー設定ボタン４、空気調和機を運転・停止させる運転・停止ボタン５、冷房・暖房・除湿・送風等の運転モード、調和された空気の吹出し空気の風向、風量、室内温度等を設定又は、操作するための運転モード設定ボタン６、現在時刻を設定する現在時刻設定ボタン８、及び運転設定値等を文字やシンボルにて表示する液晶表示窓７等が配置されている。さらに、遠隔用リモートコントローラ２の端部表面には、タイマー設定ボタン４、運転・停止ボタン５又は、運転モード設定ボタン６の操作に対応した信号として赤外線等の光信号１１を発信させる発信部９が設けられている。
【０００４】
さらに遠隔操作用リモートコントローラ２には、各ボタン４、５、６、８の操作に応じた光信号１１を発信部９から発信させる送信信号処理手段、本操作の内容を液晶表示窓７に表示させる表示制御手段、計時手段等を有する制御装置１６が内蔵されている。
【０００５】
一方、空気調和機の室内機１には、遠隔操作用リモートコントローラ２の発信部９からの光信号１１を受信する受信部１０、および、受信部１０により受信した受信信号受信処理し、これに対応して空気調和機を運転制御する制御装置１８が内蔵されている。さらに、室内機１には、受信部１０が光信号１１を正常受信したことを知らせるブザー音を発生させるブザー１５も内蔵されている。
【０００６】
使用者が、遠隔操作用リモートコントローラ２を手に取り、その上端部に設けられた発信部９を、室内機１の前面に設けられた受信部１０に向けて各操作ボタン４、５、６を操作すると、この操作に対応する光信号１１が発信部９から発信され、光信号１１は受信部１０にて受信される。そして、受信部１０で受信した受信信号は制御装置１８に入力され、制御装置１８が有する受信信号処理手段にて、受信信号が正常であることがチェックされると、室内機１に内蔵されている正常受信を知らせるブザー１５を作動させてブザー音を鳴らすと共に空気調和機は、使用者の入力操作に対応して運転制御され、且つ入力操作の内容は液晶表示窓７に表示される。
【発明の開示】
【発明が解決しようとする課題】
【０００７】
以上、従来の構成において、空気調和機は、早朝起床時に快適な室温を得る為に、入タイマーを使用して運転されることが多い。その為、遠隔操作用リモートコントローラ２に内蔵された制御装置１６の計時手段と、タイマー設定ボタン４により、あらかじめ各ボタン４、５、６により設定された空気調和機の運転条件にて、タイマー設定ボタン４により設定された起床時刻や帰宅時刻に、空気調和機は運転開始される。さらに、液晶表示窓７への時刻表示、又は、遠隔操作用リモートコントローラ２の表面に時計文字盤等の表示（図示省略）を設けることにより、遠隔操作用リモートコントローラ２を目覚まし時計としても利用することも可能であるが、起床の時刻表示は、遠隔操作用リモートコントローラ２を駆動させる為の電池１２をセットした後、使用開始する際の初期設定時に現在時刻を一度入力した後、電池１２が消耗して新しい電池１２に交換するまで現在時刻の再設定をせずに使用を続ける場合が多い。実際に標準時として扱われている時刻に対して遠隔操作用リモートコントローラ２に設定されている現在時刻が進んでいたり、遅れていたりする場合があり、特に現在時刻が遅れている場合は、起床時の目覚まし時計としては不便であり、同様に空気調和機の運転音だけで、目覚まし音がないため、起床を促す効果に対して不十分であった。
【０００８】
本発明は、時間情報をのせてある標準電波１７を遠隔操作用リモートコントローラ２に内蔵した受信用アンテナ１３で受信し、遠隔操作用リモートコントローラ２に設定された現在時刻を定期的に修正し、常に標準時間に合わせる手段を具備し、遠隔操作用リモートコントローラ２からの光信号１１を室内機１が正常に受信したことを知らせるブザー音を発生するブザー１５を起床の為の目覚ましとして用いることにより、起床時に快適な室内温度を得ると同時にブザー音によりほぼ正確な起床時刻を知らせ、起床を促すことを目的とする。
【課題を解決するための手段】
【０００９】
上記の課題を解決する為に、本発明によれば、遠隔操作用リモートコントローラ２は、時間情報をのせてある標準電波１７を、遠隔操作用リモートコントローラ２に内蔵している受信用アンテナ１３で受信し、受信した時間情報を、遠隔操作用リモートコントローラ２に内蔵されている制御装置１６に入力し、初期設定の際に設定した現在時刻を、また、時間情報をのせてある標準電波１７を、遠隔操作用リモートコントローラ２に内蔵している受信用アンテナ１３で定期的（１日１回決められた時刻等）に受信し、受信した時間情報をのせてある標準電波１７を、遠隔操作用リモートコントローラ２に内蔵されている制御装置１６に入力し、制御装置１６に設定されている現在時刻の情報を更新し、常に標準時間に合わせる手段を備え、また、ブザー音を発生するブザー１５を具備し、室内空間に調和された空気を送る空気調和機においては、前記空気調和機のタイマー運転の選択又は非選択を設定し、且つタイマー時刻を設定するタイマー設定手段と、該タイマー設定手段により設定された前記タイマー時刻に前記ブザーからの目覚まし用ブザー音発生を選択又は非選択する目覚まし設定手段と、該目覚まし設定手段により前記目覚まし用ブザー音発生が選択された場合、前記タイマー時刻に、前記ブザーから前記目覚まし用ブザー音を発生させるブザー音発生制御手段と、を含む目覚まし手段を備えることを特徴とする。
【００１０】
このような構成により、目覚ましを設定した時刻に前記空気調和機の運転を開始させると共に目覚ましの為のブザー音を発生させることができる。
【００１１】
空気調和機は、さらに、光信号１１を受信する受信部１０を有する室内機１と、該室内機１とは別体であって該室内機１の受信部１０へ所定の光信号１１を送信する発信部９を有する遠隔操作用リモートコントローラ２とを備え前記目覚まし手段を、前記遠隔操作用リモートコントローラ２に配設することも好ましい。あるいは、空気調和機はさらに光信号１１を受信する受信部１０を有する室内機１と該室内機１とは別体であって該室内機１の受信部１０へ所定の光信号１１を送信する発信部９を有する遠隔操作用リモートコントローラ２とを備え、前記目覚まし手段の前記タイマー設定手段及び前記目覚まし設定手段を、前記遠隔操作用リモートコントローラ２に配設し、前記目覚まし手段の前記ブザー音発生制御手段を、前記室内機１に配設することも好ましい。このような構成により、目覚ましの設定等の諸操作が非常に簡単になる。
【発明の効果】
【００１２】
以上の構成により、本発明の空気調和機は、一度遠隔操作用リモートコントローラに現在時刻を設定すれば、以降は時間情報をのせてある標準電波を受信し、定期的に現在時刻の設定を更新するため、常時ほぼ正確な時間を保つことが出来る。また、ほぼ正確な、計時手段及び時計機能な時刻を、目覚し機能や、タイマー機能等をとして利用することにより、目覚まし設定ボタンにより設定した時刻に目覚ましブザー音を発声し容易に起床すること、もしくは、タイマー設定ボタンにより設定された時刻に室内は、適温に近い快適な温度となる。
【発明を実施するための最良の形態】
【００１３】
以下、本発明の実施の形態を、図面を参照して説明する。ここで、従来技術の項にて説明した同一符号の構成物は、別機能を明記している場合を除き、同一機能を有するものである。
【００１４】
図１は、本発明に係わる一実施例の空気調和機の室内機１と遠隔操作用リモートコントローラ２と、時間情報をのせてある標準電波１７の信号交信を示す概略図である。遠隔操作用リモートコントローラ２の表面には、現在時刻を設定する為の時刻設定ボタン８、空気調和機にタイマー運転の選択・非選択を設定し且つタイマー運転の開始或いは、運転の停止を設定時刻に行わせるためのタイマー設定ボタン４、空気調和機の運転を選択・非選択を行わせるための運転・停止ボタン５、冷房、暖房、除湿、送風等の運転モード、調和された空気の吹出し風の風向、風量、室内温度等を設定又は操作するためのモードボタン６、運転設定値等を表示する液晶表示窓７、及び、目覚し機能の選択・非選択を設定する目覚まし選択ボタン１４等が配設されている。なお、タイマー設定ボタン４は、タイマー設定手段として機能し、目覚まし設定ボタン１４は、目覚まし設定手段として機能する。
【００１５】
各ボタン４、５、６、１４の操作に応じた光信号１１を発信部９から発信させる送信信号処理手段、時間情報をのせてある標準電波１７を受信し、計時手段等を有する制御装置１６に信号を伝達するためのアンテナ１３、本操作の内容を液晶表示窓７に表示させる表示制御手段及び計時手段等を有する制御装置１６が遠隔操作用リモートコントローラ２に内蔵されている。
【００１６】
一方、空気調和機の室内機１には遠隔操作用リモートコントローラ２の発信部９からの光信号１１を受信する受信部１０、及び、受信部１０により受信した受信信号を受信処理し、これに対応して空気調和機を運転制御する制御装置１８が内蔵されている。更に室内機１には、制御装置１８の指示により、受信部１０が光信号１１を正常受信したことを知らせるブザー音を発するブザー１５も備えられている。更に制御装置１８は、目覚まし設定ボタン１４の操作に対応して、目覚まし設定時刻にブザー１５からブザー音を発するブザー音発生制御手段を有している。上記のタイマー設定手段、目覚まし設定手段、及び、ブザー音発生制御手段は、本発明に係る目覚まし手段を構成する。
【００１７】
次に現在時刻合わせ機能の動作を説明する。遠隔操作用リモートコントローラ２を使用する場合は、電池１２を遠隔操作用リモートコントローラの内部に設置した後、現在時刻を設定する。または電池１２が、消耗した場合や定期的に交換する際も、電池１２を遠隔操作用リモートコントローラ２の内部に電池１２を設置した後、現在時刻を設定する。現在時刻を設定する際は、液晶表示窓７に設定時刻が表示される。時刻を設定した後、時刻設定ボタン８にて、計時手段及び、時計機能を有する基板に、設定した現在時刻の情報が入力され、現在時刻が設定される。なお、一度、現在時刻を設定した後は、時間情報をのせてある標準電波１７を遠隔操作用リモートコントローラ２に内蔵されているアンテナ１３で受信し、毎日１回等、定期的にアンテナ１３で受信した時間情報を、計時手段及び、時計機能を有する制御装置１６に入力することにより、現在時刻の再設定を行う。再設定された現在時刻は、遠隔操作用リモートコントローラ２の液晶表示窓７に表示される。現在時刻は、タイマー設定及び、目覚まし設定の際、基本時刻となる。
【００１８】
次に、目覚し機能の動作を説明する。遠隔操作用リモートコントローラ２のタイマー設定ボタン４にて、起床時刻に合わせた入タイマー運転を設定する。そして、目覚まし設定ボタン８により目覚まし設定を選択する。さらに、運転・停止ボタン５により設定時刻に空気調和機が運転するように設定し、運転モード等を選択する運転モード設定ボタン６により、冷房・暖房・除湿・送風等の運転モード、調和された空気の吹出し風の風向、風量、室内温度等を所定のモードに設定する。これらの各ボタン４、５、６の設定条件及び時刻は液晶表示窓７に表示される。そして、起床時刻になった時、計時手段及び時計機能を有する制御装置１６がそれを感知し、制御装置１６からの信号により、設定した運転モード等の光信号１１が発信部９から発信される。その光信号１１は、室内機１の受信部１０にて受信され、受信された信号は、制御装置１８に入力され空気調和機は、設定された運転条件にて運転開始される。
【００１９】
なお、運転・停止ボタン５にて停止を指定した場合は、タイマー設定ボタン４により設定された時刻にて、空気調和機の作動・運転は停止される。しかし、目覚ましボタン１４を設定した場合、通常運転・停止ボタン５は運転を指示する。このことにより、タイマー設定ボタン４により設定された時刻にて、起床時に室内機１から、快適に調和された空気が排出される。この時、室内機１の制御装置１８には、光信号１１を介して入力されたタイマー設定ボタン４のタイマー設定と目覚まし設定ボタン１４の目覚まし設定信号により、ブザーを動作させる信号をブザー１５に出力し、目覚まし音としてのブザー音がブザー１５から発声される。このブザー音は、起床を促すのに都合がよいような既知のいかなる音であってもよい。なお、目覚まし時のブザー音発生時間は、図示しない起床時ブザー音発生時間設定手段を設けることにより任意に設定できる。
【００２０】
なお、通常、空気調和機には、運転・停止ボタン５により、運転（入タイマー）を選択したとき、タイマー設定ボタン４により設定された時刻（起床時間）に室内の温度が所定の温度（適温）近くになるように早めに空気調和機が運転を開始するように制御する制御手段が組込まれている。一般的には、このような制御手段を「快適予約制御」と称している。このような快適予約制御の付加機能が付加されている場合でも、目覚ましの為のブザー音は目覚まし設定ボタン１４により目覚まし設定されていれば、タイマー設定ボタン４により設定された時刻に発声される。つまり、目覚まし時間より前に空気調和機は運転され、起床時に室内は適温に近くなり、そして、起床時に、目覚ましの為のブザー音が、ブザー１５から発声される。なお、快適予約制御を発揮する制御手段は室内機１の制御装置２０か、あるいは、遠隔操作用リモートコントローラ２の制御装置１６に組込んでおけばよい。
【実施例１】
【００２１】
一度遠隔操作用リモートコントローラに現在時刻を設定すれば、以降は時間情報をのせてある標準電波を受信し、定期的に現在時刻の設定を更新するため、常時ほぼ正確な時間を保つことが出来る遠隔操作用リモートコントローラ。
【実施例２】
【００２２】
ほぼ正確な、計時手段及び時計機能な時刻を、目覚し機能や、タイマー機能等をとして利用することにより、目覚まし設定ボタンにより設定した時刻に目覚ましブザー音を発声し容易に起床すること、もしくは、タイマー設定ボタンにより設定された時刻に室内は、適温に近い快適な温度となるように、空気調和機を制御、操作を行う、遠隔操作用リモートコントローラ。
【図面の簡単な説明】
【００２３】
【図１】本発明の空気調和機の室内機と遠隔操作用リモートコントローラとの信号交信関係を示す図である。
【図２】従来例の空気調和機と遠隔操作用リモートコントローラとの使用状態を示す概略図である。
【図３】従来例の空気調和機の室内機と遠隔操作用リモートコントローラとの信号交信関係を示す図である。
【符号の説明】
【００２４】
１…室内機、２…遠隔操作用リモートコントローラ、３…室外機、４…タイマー設定ボタン、５…運転・停止ボタン、６…モード設定ボタン、７…液晶表示窓、８…時刻設定ボタン、９…発信部、１０…受信部、１１…光信号、１２…電池、１３…アンテナ、１４…目覚ましボタン、１５…ブザー、１６…制御装置、１７…時刻情報をのせている標準電波、１８…制御装置。
【図１】
2008076007.tif 000003
【図２】
2008076007.tif 000004
【図３】
2008076007.tif 000005